(57)【特許請求の範囲】
【請求項１】
きのこ栽培の廃培養基によりらんの成株の根張りに対応し得る栽培床を形成して、この栽培床に苗を植付けて成株か廃株になるまで栽培するらんの定植栽培方法において、
前記栽培床に対する苗の植付けを、植込部の一部分が栽培床より下側へ出て、この出た分だけ前記廃培養基を堆積させて形成する栽培床の厚さが薄くなるように行う
ことを特徴としたらんの定植栽培方法。
【発明の詳細な説明】
【０００１】
【発明の属する技術分野】
本発明は、きのこ栽培の廃培養基を用いた栽培床でらんの定植栽培を行なう方法の改良に関する。
【０００２】
【従来の技術】
きのこ栽培の廃培養基を用いた栽培床でらんの定植栽培を行なう方法は、特公昭６２―３７９３９号公報により公知である。この方法は、きのこの廃培養基が良好な滲水性と保水性とを有するため、週に一度の潅水で足りて管理が容易であり、また、廃培養基中の糖がきのこ菌により分解されてらんに適した肥料分となるため施肥が不要であって、更に、廃培養基は挽粉の分解により炭酸ガスを発生し、この炭酸ガスをらんに供給して光合成作用を促進するもので、しかも、栽培床による栽培は鉢栽培に比べて乾湿差が少ないため、らんの水や肥料分の摂取が常に平均して良好に行なれて順調な生育と健全な株体が得られるという優れた特徴を有する。
【０００３】
しかしながら前記栽培方法は、通気性シートの上に１０ｃｍ程度の厚さにきのこの廃培養基を堆積して栽培床を形成し、この栽培床に苗の植込部に合わせた穴を掘り、この穴へ苗を植付ける。このため、苗から下向きに根が出てもこの根は通気シートに妨げられて下方へは伸びず横に伸びて、総ての根が栽培床の中にある状態になる。従って、根が空気中にあるのが本来の生育環境である着生らんは、不適合の環境に置かれることになって株体が不健全となり、厚い栽培床へ過剰に潅水したために加湿状態が続くと、根が蒸れて腐る根腐れにより枯死することが起こって、栽培管理が楽で、採算性も非常によいらんの定植栽培を誰でも簡単にできるようにするという初期の目的を達成することができなかった。
【０００４】
【発明が解決しようとする課題】
本発明は前記問題点を解消し、きのこの廃培養基を用いた栽培床で栽培管理が楽で、採算性も非常によいらん定植栽倍を誰でも簡単にできるようにするらん定植栽培方法を提供することをその課題とする。
【０００５】
【課題を解決するための手段】
前記課題を解決するため、本発明に係るらんの定植栽培方法は、下記の手段を採用することを特徴とする。
きのこ栽培の廃培養基によりらんの成株の根張りに対応し得る栽培床を形成して、この栽培床に苗を植付けて成株か廃株になるまで栽培するらんの定植栽培方法において、前記栽培床に対する苗の植付けを、植込部の一部分が栽培床より下側へ出て、この出た分だけ前記廃培養基を堆積させて形成する栽培床の厚さが薄くなるように行うこと。
【０００６】
【発明の実施の形態】
以下に本発明に係るらんの定植栽培方法の実施形態を示す。
【０００７】
図１は栽培床へらんの苗を植付けた状態を示す。この図において符号１は栽培床、２は栽培床１を乗せた通気性シート、３はらん、４はらんの植込部、５は通気性シート４にあけた穴である。
【０００８】
前記栽培床１は、しめじ等のきのこを栽培した廃培養基を用いて形成する。この廃培養基は挽粉と米糖との混合物にきのこ菌を繁殖させたものであり、栽培床１として使用する前に季節によって１ヶ月〜３ヶ月間堆積して醗酵させ、肥料としての効果を高めると共に、きのこ菌を適等に削減させる。
【０００９】
前記通気シート２は金網、プラスチック網、穿孔板等により形成して、棚６により適当な地上高さに設け、らん３が成株となったとき必要とする相互間隔で多数の穴５をあけ、これらの穴５にらん３の苗の植込部４を嵌めて、植込部４の一部分は図１に示す通り通気シート２より下側に出て、残りの部分は通気シート２より上側に位置するようにする。
【００１０】
前記のように通気シート２にらん３の苗を支持させたら、通気性シート２の上へ廃培養基をらん３の植込部４の上面とほぼ平になるように堆積して、栽培床１を形成する。こうすると、らん３の苗の植付けが完了して、形成された栽培床１の厚さは特公昭６２―３７９３９号公報記載の栽培床１よりもらん３の植込部４が栽培床１よりも下側へ出た分だけ薄くる。
【００１１】
栽培床１へのらん３の苗の植付けが終れば、栽培床１へ乾きに応じて潅水をする管理を行ない、４ヶ月程度で廃培養基の腐植により栽培床１が薄くなるが、これに伴ない廃培養基を最初の高さになるまで補充して栽培条件を一定させて置くと、苗は順調に生育してその根７が横へ出たものは栽培床１の中を伸びるが、下へ出た根７は空気中ヘ伸びてらん３が樹木や岩石等に着生している生育する環境に近い状況となる。このため、らん３が好ましい生育条件を与えられると共に、薄い栽培床１は仮に過剰潅水しても直ぐに水が切れて加湿状態とならず、適量の水分と肥料分をらん３に与え続けるため、らん３は根腐れを起こすことなく速く健全な成株となって、長く株体の勢を持続して多くの花をつけるようになる。
【００１２】
前述した環境で１０．５ｃｍまたは１２ｃｍ鉢のファレノプシス（胡蝶らん）の苗を栽培床１で定植栽培した結果、定植後３ヶ月で図３（ａ）に示すように最初の花茎８が１本立ち、５ヶ月後には採花できるようになった。そこで、客の花数指定に応じて、花数を例えば５輪に調整し、下の花から１５ｃｍ下の切断位置９おいて花茎８を切り、１回目は１本を出荷した。
【００１３】
１回目の出荷後、２ヶ月で図３（ｂ）に示すように別のところから新しい花茎８が立ち、１回目に採花した花茎からも花芽８が立って、４ヶ月後には採花できるようになった。そこで、２本の花茎８を前記切断位置９から切って、２回目は２本を出荷した。
【００１４】
２回目の出荷後、１ヶ月で図４（ａ）に示すように採花を２回した花茎から２本の花茎８が立ち、採花を１回した花茎からは１本の花茎８が立って、４ヶ月後に採花できるようになった。そこで、３本の花茎８を前記切断位置９から切って、３回目は３本を出荷した。
【００１５】
３回目の出荷後、１ヶ月で図４（ｂ）に示すように採花を２回した花茎からそれぞれ２本ずつ花茎が立って、４ヶ月後に採花できるようになった。そこで、４本の花茎８を前記切断位置９から切って、４回目は４本を出荷した。
【００１６】
前述の通り本発明の方法によれば、定植後２年目から１株より合計１０本の採花ができて、採花量が特公昭６２−３７９３９号公報記載の方法の最大採花数６本に比べて１．６倍強に増加した。
【００１７】
【実験例１】
ビニールハウス内に巾１．２m、長さ１５mの棚を造り、この棚の上へ４０ｃｍの間隔で直径１０．５ｃｍの穴をあけた金網を乗せて、この金網の穴に１０．５ｃｍの鉢から抜いたファレノプシスの苗の植込部を納めた。すると、植込部の約１／２は金網の下に出て、残りの部分が金網の上にある。この状態において植込部の上面と略平になるように金網の上へきのこ栽培の廃培養基を堆積して、らんの苗を植込んだ栽培床を完成した。この栽培床は週に１〜２回潅水して、４ヶ月に一度の廃培養基補充を行な管理だけで、特に着生らんに好適な栽培環境が得られるため、前記した通りの採花成績を上げることができた。
【００１８】
【発明の効果】
らんの一部の根が空気中へ出る着生らん本来の生育環境に近い栽培環境を造るとともに、栽培床を薄くして過剰潅水しても水が速く切れるようにしたため、着生らんでもは根腐されを起さず速く順調に生育して健全な株体を造り、この状態を廃株になるまで持続するから、管理が楽で、採算性が非常によいらんの定植栽培を誰にでも簡単にできるようにするという目的を完全に達成することができるものである。
【図面の簡単な説明】
【図１】本発明に係るらんの定植栽培方法で苗を植付けた状態の説明図。
【図２】らんの根が栽培床の中と空気中に出た状態の説明図。
【図３】（ａ）（ｂ）はらんの１回目と２回目の採花状態の説明図。
【図４】（ａ）（ｂ）はらんの３回目と４回目の採花状態の説明図
【符号の説明】
１  栽培床
３  らん
４  植込部
【図１】
0003847189.tif 000002
【図２】
0003847189.tif 000003
【図３】
0003847189.tif 000004
【図４】
0003847189.tif 000005